(57)【要約】【課題】  侵入者を威嚇するための警報が停止された後でも、異常発生の有無を知らせることができる防犯装置を提供すること。【解決手段】  異常発生を検知して異常検知信号を出力する防犯センサ（ピッキングセンサ部）１と、異常発生時に威嚇のための警報を所定期間発生する警報器２と、異常検知信号に基づいて異常発生履歴情報を記憶するメモリ（記憶手段）３と、少なくとも異常発生の有無を表示する表示器４と、防犯センサ１、警報器２、メモリ３及び表示器４に接続され、異常検知信号に基づいて、警報器２に警報を所定期間発生させると共にメモリ３に異常発生履歴情報を記憶させ、メモリ３の記憶に基づいて、異常発生終了後も、表示器４に異常発生情報を表示させるマイコン（制御手段）５と、を有する。【選択図】  図１
2006178722.tif 000002
【特許請求の範囲】
【請求項１】
異常発生を検知して異常検知信号を出力する防犯センサと、
異常発生時に威嚇のための警報を所定期間発生する警報器と、
前記異常検知信号に基づいて異常発生履歴情報を記憶する記憶手段と、
少なくとも異常発生の有無を表示する表示器と、
前記防犯センサ、前記警報器、前記記憶手段及び前記表示器に接続され、前記異常検知信号に基づいて、前記警報器に警報を所定期間発生させると共に前記記憶手段に前記異常発生履歴情報を記憶させ、前記記憶手段の記憶に基づいて、異常発生終了後、前記表示器に異常発生情報を表示させる制御手段と、
を有する、ことを特徴とする防犯装置。
【請求項２】
前記制御手段に接続され、該制御手段を介して前記表示器に異常発生情報の表示を停止させる、解除信号を出力する解除スイッチを有することを特徴とする請求項１記載の防犯装置。
【請求項３】
前記制御手段は、前記解除信号に基づいて、前記記憶手段が記憶する異常発生履歴情報を消去することを特徴とする請求項２記載の防犯装置。
【請求項４】
前記表示器は、音ないし光によって異常発生情報を表示することを特徴とする請求項１記載の防犯装置。
【請求項５】
前記表示器は、前記解除スイッチから前記解除信号が出力されるまで、異常発生情報を表示し続けることを特徴とする請求項２記載の防犯装置。
【請求項６】
前記制御手段には、前記警報器が警報を発生する期間を定めるタイマが接続されることを特徴とする請求項１記載の防犯装置。
【発明の詳細な説明】
【技術分野】
【０００１】
本発明は、防犯装置に関し、特に、一般住宅用の防犯装置に関する。
【背景技術】
【０００２】
特許文献１には、ガラスの破壊検出装置が提案されている。
【０００３】
特許文献２には、ガラスの破壊を検知するセンサと、このセンサの検知に基づいて侵入者を威嚇するブザーを有する防犯ガラス装置が提案されている。
【０００４】
特許文献３には、ガラスの破壊を検知するセンサと、このセンサの検知に基づいて侵入者を威嚇するブザーと、一定時間でブザーを停止させるためのタイマと、を有する防犯装置が提案されている。
【０００５】
【特許文献１】特開平６−８２３９２号公報
【特許文献２】実用新案登録第２５１２２３２号公報
【特許文献３】特開２００４−５０５７号公報
【発明の開示】
【発明が解決しようとする課題】
【０００６】
しかしながら、特許文献１には侵入者を威嚇する手段が開示されず、特許文献２の装置は、侵入者を威嚇するブザーを有しているが、威嚇効果により侵入者が退散した後も、ブザーが鳴動し続け近隣の迷惑になるという問題があり、特許文献３の装置は、例えば、ユーザーが外出先から帰宅した時、一定時間で威嚇動作が解除されていれば、後から異常発生の有無を知ることができないという問題がある。
【０００７】
本発明の目的は、侵入者を威嚇するための警報が停止された後でも、異常発生の有無を知らせることができる防犯装置を提供することである。
【課題を解決するための手段】
【０００８】
本発明は、第１の視点において、異常発生を検知して異常検知信号を出力する防犯センサと、異常発生時に威嚇のための警報を所定期間発生する警報器と、前記異常検知信号に基づいて異常発生履歴情報を記憶する記憶手段と、少なくとも異常発生の有無を表示する表示器と、前記防犯センサ、前記警報器、前記記憶手段及び前記表示器に接続され、前記異常検知信号に基づいて、前記警報器に警報を所定期間発生させると共に前記記憶手段に前記異常発生履歴情報を記憶させ、前記記憶手段の記憶に基づいて、異常発生終了後、前記表示器に異常発生情報を表示させる制御手段と、を有する、ことを特徴とする防犯装置を提供する。
【発明の効果】
【０００９】
本発明によれば、例えば、家人不在時に住宅の外周開口部からの侵入、ピッキング又はガラス戸の破壊等の異常が発生したとき、防犯センサが異常発生を検知して異常発生信号を出力し、制御手段はこの異常発生信号に基づいて、警報器に威嚇のための警報を報知させると共に、異常が発生したこと、すなわち、異常発生履歴情報を記憶手段に記憶させる。警報器による警報を所定期間後停止されるが、記憶手段に異常発生履歴情報が記憶されていることにより、警報停止後、例えば、家人帰宅時においても、記憶された異常発生履歴情報に基づいて、表示器に異常が発生したことを表示させて家人に知らせることができる。このようにして、本発明によれば、侵入者を威嚇するための警報が停止された後でも、加えて、侵入の形跡がない場合でも、帰宅した家人に異常発生の有無を知らせることができる。
【発明を実施するための最良の形態】
【００１０】
本発明の好ましい実施の形態に係る防犯装置は、前記制御手段に接続され、該制御手段を介して前記表示器に異常発生情報の表示を停止させる、解除信号を出力する解除スイッチを有する。
【００１１】
本発明の好ましい実施の形態において、前記制御手段は、前記解除信号に基づいて、前記記憶手段が記憶する異常発生履歴情報を消去する。
【００１２】
本発明の好ましい実施の形態において、前記表示器は、音ないし光によって異常発生情報を表示する。
【００１３】
本発明の好ましい実施の形態において、前記表示器は、前記解除スイッチから前記解除信号が出力されるまで、異常発生情報を表示し続ける。
【００１４】
本発明の好ましい実施の形態において、防犯センサは、住宅の外周開口部からの侵入、ピッキング又はガラス戸の破壊等の異常発生を検知する。防犯センサとして、例えば、接近センサ（ドップラーセンサなど）、電気伝導、歪又は衝撃を検知する破壊検知センサ等を適宜採用することができる。
【００１５】
本発明の好ましい実施の形態に係る防犯装置は、異常検知信号等が入力される入力処理部と、警報器及び表示器を駆動する駆動信号を出力する出力処理部と、異常検知信号に基づいて駆動信号を生成する制御手段であるマイクロコンピュータと、マイクロコンピュータに制御され異常発生履歴情報が記憶される外部又は内部記憶手段であるメモリと、を有する信号処理部を含む。
【実施例１】
【００１６】
図面を参照して、本発明の一実施例を説明する。
【００１７】
図１は、本発明の一実施例に係る防犯装置のシステム構成を示すブロック図である。
【００１８】
図１を参照すると、本発明の一実施例に係る防犯装置は、異常発生を検知して異常検知信号を出力する防犯センサ（ピッキングセンサ部）１と、異常発生時に威嚇のための警報を所定期間発生する警報器２と、異常検知信号に基づいて異常発生履歴情報を記憶するメモリ（記憶手段）３と、少なくとも異常発生の有無を表示する表示器４と、防犯センサ１、警報器２、メモリ３及び表示器４に接続され、異常検知信号に基づいて、警報器２に警報を所定期間発生させると共にメモリ３に異常発生履歴情報を記憶させ、メモリ３の記憶に基づいて、異常発生終了後も、表示器４に異常発生情報を表示させるマイコン（制御手段）５と、を有する。
【００１９】
警報器２は、ブザー２ｂと、マイコンたる制御手段５からの駆動信号が入力されると所定時間ブザー２ｂを作動させる駆動回路２ａとを有している。ブザー２ｂを作動させる時間は、後述のタイマ９により決定される。
【００２０】
表示器４は、表示パネル４ｂと、制御手段５からの駆動信号が入力されて表示パネル４ｂの表示を駆動制御する駆動回路４ａと、を有している。
【００２１】
マイコン５は、異常検出信号等が入力され且つマイコン５に接続された入力処理部８ａと、マイコン５に接続され駆動回路２ａ，４ａに駆動信号を出力する出力処理部８ｂと、メモリ３と、マイコン５に接続され警報器２の警報継続時間を定めるタイマ９と共に、信号処理部６を構成している。
【００２２】
マイコン５には、入力処理部８ａを介して、スイッチ７が接続されている。スイッチ７は、防犯装置の作動を開始させるためのスタートスイッチ７ａ、防犯装置の作動を停止させるためのストップスイッチ７ｂ、及びマイコン５を介して表示器４に異常発生情報の表示を停止させる、解除信号を出力する解除スイッチ７ｃを有する。
【００２３】
以上説明した本発明の一実施例に係る防犯装置の動作を、防犯装置が一般住宅に設置され、家人が外出中に異常が発生した状況を例にして説明する。
【００２４】
図２は、図１に示した防犯装置の動作を説明するためのフローチャートである。
【００２５】
図１及び図２を参照すると、家人が外出前、スタートスイッチ７ａをオンすると、防犯装置が防犯モードに移行する。マイコン５は、ステップ１において、表示器４が異常履歴を表示中であるかどうか判定し、表示中であればステップ２、表示していなければステップ８にそれぞれ移行する。ステップ２において、マイコン５は、解除スイッチ７ｃから解除信号が出力されたかどうか判定し、家人が帰宅して解除スイッチ７ｃを操作することにより、解除信号が出力されていればステップ３、されていなければステップ６にそれぞれ移行する。ステップ３〜５において、マイコン５は、表示器４による異常履歴表示を停止させ、メモリ３に記憶された異常履歴情報をクリアし、及び警報器２による威嚇のための警報を停止させる。
【００２６】
ステップ６において、マイコン５は、警報器２が警報中であるかどうかを判定し、警報器２が警報発生中であればステップ７、発生中でなければステップ８にそれぞれ移行する。ステップ７において、マイコン５は、異常発生時にスタートされたタイマ９がタイムアップしたかどうか判定し、タイムアップしていればステップ５に移行して警報を停止させ、していなければ警報は継続される。
【００２７】
ステップ８において、マイコン５は、防犯センサが異常検知したがどうかを判定し、異常検知がある場合にはステップ９に移行して、メモリ３に異常発生を示す異常発生履歴情報（センサ作動状況記憶）を記憶させ、ステップ１０において警報器２に警報を発生させ、ステップ１１において表示器４に異常発生履歴情報を表示させ、この表示を継続させる。
【００２８】
この防犯装置によれば、侵入者等を威嚇する警報器２とは別に、異常発生履歴情報を家人に知らせる手段（表示器４）を設けたことにより、近隣の迷惑防止のために警報器２による警報を停止しても、表示器４によって、帰宅後の家人は異常が発生したことを知ることができる。
【産業上の利用可能性】
【００２９】
本発明の防犯装置は、特に、一般住宅に好適に採用される。
【図面の簡単な説明】
【００３０】
【図１】本発明の一実施例に係る防犯装置のシステム構成を示すブロック図である。
【図２】図１に示した防犯装置の動作を説明するためのフローチャートである。
【符号の説明】
【００３１】
１  ピッキングセンサ（防犯センサ）
２  警報器
２ａ  警報器の駆動回路
２ｂ  ブザー
３  メモリ（記憶手段）
４  表示器
４ａ  表示器の駆動回路
４ｂ  表示パネル
５  マイコン（制御手段）
６  信号処理部
７  スイッチ
７ａ  スタートスイッチ
７ｂ  ストップスイッチ
７ｃ  解除スイッチ
８ａ  入力処理部
８ｂ  出力処理部
９  タイマ
【図１】
2006178722.tif 000003
【図２】
2006178722.tif 000004